(57)【要約】【課題】加工が容易で部品点数の少ないきらめき感のある高意匠性の装飾パネルまたは電子機器を提供する。【解決手段】装飾パネル１は、基板２と、光反射率の高い粉体が分散し前記基板上に形成された接着層４と、前記接着層４を介して前記基板２に固定された光透過性を有する透明板３と、を備える。また、電子機器は、外装と、光反射率の高い粉体が分散し前記外装上に形成された接着層４と、前記接着層４を介して前記外装に固定された光透過性を有する透明板３と、を備える。装飾パネル１は、電子機器の他、家具、建築材、玩具等として有用である。【選択図】図１
2010239361.tif 000002
【特許請求の範囲】
【請求項１】
基板と、
光反射率の高い粉体が分散し前記基板上に形成された接着層と、
前記接着層を介して前記基板に固定された光透過性を有する透明板と、
を備える装飾パネル。
【請求項２】
前記光反射率の高い粉体は、金属粉体、ガラス粉体或いは顔料である、
請求項１に記載の装飾パネル。
【請求項３】
前記接着層は、光透過性を有する接着剤を含む、
請求項１に記載の装飾パネル。
【請求項４】
外装と、
光反射率の高い粉体が分散し前記外装上に形成された接着層と、
前記接着層を介して前記外装に固定された光透過性を有する透明板と、
を備える電子機器。
【請求項５】
前記光反射率の高い粉体は、金属粉体、ガラス粉体或いは顔料である、
請求項４に記載の電子機器。
【請求項６】
前記接着層は、光透過性を有する接着剤を含む、
請求項４に記載の電子機器。
【発明の詳細な説明】
【技術分野】
【０００１】
本発明は、電子機器の外装等に用いられる装飾パネルおよび電子機器に関するものである。
【背景技術】
【０００２】
電子機器において、意匠性を高めるため、外装の一部にデザイン的に優れた光の反射効果のある装飾パネルを取り付ける技術がある（例えば特許文献１参照）。
【特許文献１】特開２００８−７８９２５号公報
【発明の開示】
【発明が解決しようとする課題】
【０００３】
特許文献１に記載の装飾パネルは、光透過性を有する樹脂材料を用いた透明板と、透明板の裏面に鏡面インクを印刷又は塗装して形成された接着層と、更に接着層の裏面に黒塗装された黒塗料層で構成される。そして、この装飾パネルを目的の場所、例えば、電子機器本体に取り付ける際には、さらに装飾パネルの裏面に接着剤を塗布したり、両面テープを貼り付けるなど、固定するための加工及び部材が別途必要になる。したがって、特許文献１に記載の装飾パネルは、加工工数及び部品点数が増加してしまう課題があった。
【０００４】
本発明は、上述の課題を解決し、加工が容易で部品点数の少ない高意匠性の装飾パネルまたは電子機器を提供することを目的とする。
【課題を解決するための手段】
【０００５】
上記目的は、以下の装飾パネルにより達成される。
【０００６】
当該装飾パネルは、
基板と、
光反射率の高い粉体が分散し前記基板上に形成された接着層と、
前記接着層を介して前記基板に固定された光透過性を有する透明板と、
を備える。
【０００７】
また、上記目的は、以下の電子機器により達成される。
【０００８】
当該電子機器は、
外装と、
光反射率の高い粉体が分散し前記外装上に形成された接着層と、
前記接着層を介して前記外装に固定された光透過性を有する透明板と、
を備える。
【発明の効果】
【０００９】
本発明によれば、加工が容易で部品点数の少ないきらめき感のある高意匠性の装飾パネルまたは電子機器を提供することができる。
【発明を実施するための最良の形態】
【００１０】
以下、本発明の実施形態について、図面を参照しながら説明する。
【００１１】
＜第１実施形態＞
図１は、装飾パネルの概略構成を示す断面図である。図１において、装飾パネル１は、基板２と、光反射率の高い粉体が分散し前記基板２上に形成された接着層４と、前記接着層を介して前記基板に固定された光透過性を有する透明板３とを備える。
【００１２】
基板２は、装飾したい物の装飾したい部分の外装に相当するものである。例えば、電子機器に装飾したい場合、基板２は電子機器の外装に相当する。その他にも、例えば、家具の表面や、建築材の表面等、さまざまなものを基板２として用いることができる。
【００１３】
透明板３は、透明又は半透明の光透過性を有する樹脂材料を均一な厚みの板状にしたものである。ここで、光透過性とは、反対側に光を通す性質をいい、無着色であっても着色されていてもよい。
【００１４】
接着層４は、基板２と透明板３との間に形成されている。接着層４は、光反射率の高い粉体を分散させた接着剤を基板２と透明板３との間に印刷或いは塗布され、硬化した層である。接着層４は透明板３を基板２に固定している。
【００１５】
光反射率の高い粉体は、例えば、アルミ粒子等の金属粉体やガラス粒子等のガラス粉体、パール顔料等の顔料、その他の入射光を反射させる効果を持つ粉体材料である。反射率が高いとは、当該粉末に光を当てたときに当該粉末がきらめく程度をいう。
【００１６】
接着層４は、硬化前は液状でかつ少なくとも硬化後に光透過性のある接着剤を用いて形成されている。そして、接着層４には、当該接着剤に粉体を均一に分散させたものを用いて形成されている。なお、粉体を不均一に分散させたものを用いてもよい。
【００１７】
かかる構成によれば、透明板３の表面側（基板側の反対側）からの光を粉体が反射する効果により、きらめき感を表現でき、さらに、透明板の厚みによる奥行き感を表現できる高品位な意匠を実現することができる。また、このような意匠を有する装飾パネル１を透明板３または基板２に接着剤を印刷あるいは塗布して透明板３を基板２に接着するだけで、簡単に製造することができる。特に、基板２として電子機器の外装を用いる場合、電子機器の外装に簡単に高品位な意匠を施すことが可能である。
【００１８】
＜他の実施形態＞
本発明に係る装飾パネルおよび電子機器は、前述の実施形態に限られず、本発明の趣旨を逸脱しない範囲で種々の修正および変更が可能である。本発明の他の実施形態を本欄にまとめて説明する。
【００１９】
上述した実施形態では、透明板３に透明又は半透明の光透過性を有する樹脂材料としたが、同様な光透過性を有するガラス板の他の材料を使用してもよい。また、透明板３の色調も全くの無色透明だけではなく、黒色に着色したスモーク板や他の色で着色したものでも光の透過性があれば、同じような効果を出すことができる。また、透明板３は、全体が光透過性を有していなくてもよく、光透過性を有する領域を含んでいればよい。
【００２０】
また、上述した実施形態では、接着層４を液体状とし印刷又は塗布するとしたが、光反射率の高い粉体を接着剤に分散させて、その後シート状に形成した接着フィルムで構成してもよい。
【００２１】
また、接着層４の接着剤は、硬化した状態で光透過性を有していなくてもよい。その場合でも接着層に含まれる反射率の高い粉体が接着層４の表面にも現れ、そして、接着層４と透明板３の間に反射率の高い粉体が介在することになる。したがって、このような構成でもきらきらと反射するきらめき感のある意匠を表現することができる。これに対し、実施形態のように、接着剤が硬化した状態で光透過性を有する方が、接着剤内部の粉体による光の反射効果も得ることができるため、より好ましい。
【００２２】
また、上述した実施形態では、透明板３を均一な厚みの板状としたが、厚みを任意に変化させた偏肉形状で構成したり、凹凸形状を設けた透明板、或いは曲面形状の透明板で構成してもよい。
【００２３】
上述の装飾パネルを電子機器等に直接形成してもよい。図２は、テレビジョン受信機５に装飾パネル１を形成した実施例を示す斜視図である。テレビジョン受信機５の前面中央に配置された映像表示画面６の周囲には、外装である画面枠体７が４辺を囲うように配置されている。テレビジョン受信機５の外観の意匠的価値を高める一手段として、映像表示画面６の下辺側の画面枠体７に装飾パネル１が形成されている。具体的には、画面枠体７を基板２として、透明板３が接着層４を介して画面枠体７に接着されている。これにより、テレビジョン受信機５を正面から見たときの意匠性が高まっている。
【００２４】
＜実施形態の特徴＞
上記実施形態において特徴的な部分を以下に列記する。なお、上記実施形態に含まれる発明は以下に限定されるものではない。
【００２５】
［Ａ１］
装飾パネルは、基板と、光反射率の高い粉体が分散し前記基板上に形成された接着層と、前記接着層を介して前記基板に固定された光透過性を有する透明板と、を備える。これにより、加工が容易で部品点数の少ないきらめき感のある高意匠性の装飾パネルを提供することができる。
【００２６】
［Ａ２］
Ａ１に記載の装飾パネルであって、前記光反射率の高い粉体は、金属粉体、ガラス粉体或いは顔料である。
【００２７】
［Ａ３］
Ａ１またはＡ２に記載の装飾パネルであって、前記接着層は、光透過性を有する接着剤を含む。これにより、接着層と透明パネルの界面の粉体だけでなく、接着剤内部の粉体による反射効果によってさらに良好なきらめき感を実現することができる。
【００２８】
［Ｂ１］
電子機器は、
外装と、
光反射率の高い粉体が分散し前記外装上に形成された接着層と、
前記接着層を介して前記外装に固定された光透過性を有する透明板と、
を備える。これにより、加工が容易で部品点数の少ないきらめき感のある高意匠性の電子機器を提供することができる。
【００２９】
［Ｂ２］
Ｂ１に記載の電子機器であって、前記光反射率の高い粉体は、金属粉体、ガラス粉体或いは顔料である。
【００３０】
［Ｂ３］
Ｂ１に記載の電子機器であって、前記接着層は、光透過性を有する接着剤を含む。
【産業上の利用可能性】
【００３１】
本発明に係る装飾パネルは、加工工数及び部品点数を削減することができ、電子機器、家具、建築材、玩具等として有用である。
【図面の簡単な説明】
【００３２】
【図１】装飾パネルの概略構成を示す断面図
【図２】装飾パネルをテレビジョン受信機に貼り付けた実施例を示す斜視図
【符号の説明】
【００３３】
１  装飾パネル
２  基板
３  透明板
４  接着層
５  テレビジョン受信機
６  映像表示画面
７  画面枠体
【図１】
2010239361.tif 000003
【図２】
2010239361.tif 000004